(57)【要約】      （修正有）【課題】家具の前面の方向と背面の方向との両方に引き出すことが可能な引出しにおいて、引出しカバーと引出しとの結合を簡単におこなうことができる引出しを提供する。【解決手段】当該引出し（２）と家具骨組み（１）とに交互状態で結合可能な引出しカバー（３）をその前面と背面とに適宜備えたものである。引出しカバー（３）の一方を引出し（２）に結合し、もう一方を家具骨組み（１）に結合するために、引出しカバー（３）と引出し（２）との引き出し動作又は挿入動作によって専ら制御されるキャッチ又はロックが設けられている。【選択図】  図１
2005185837.tif 000002
【特許請求の範囲】
【請求項１】
家具の引出し（２）であって、前記家具の前面の方向と背面の方向との両方に引き出すことが可能であり、且つ、当該引出し（２）と家具骨組み（１）とに交互状態で結合され得る引出しカバー（３）をその前面と背面とに適宜備えた引出し（２）において、
前記引出しカバー（３）の一方を当該引出し（２）に結合し、もう一方を前記家具骨組み（１）に結合するために、前記引出しカバー（３）と当該引出し（２）との引出し動作又は挿入動作によって専ら制御されるキャッチ又はロックが設けられていることを特徴とする引出し。
【請求項２】
前記キャッチ（４）が、前記引出しカバー（３）に移動可能に接続された爪状成形部品（５）であって、前記引出しカバー（３）が開放方向に引き出されたとき引出し側の対応部の背後を保持するキャッチフック（６）がそれぞれに設けられた爪状成形部品（５）からなり、前記引出しカバー（３）が閉鎖位置にあるときには前記キャッチフック（６）が前記各対応部との係合領域外に位置することを特徴とする請求項１記載の引出し。
【請求項３】
前記キャッチ（４）が、前記引出しカバー（３）に固定されたガイド部（１６）にそれぞれ移動可能に接続されることを特徴とする請求項２記載の引出し。
【請求項４】
前記キャッチ（４）の前記対応部が、前記引出し（２）の領域において固定された成形部品（１９）からなることを特徴とする請求項２又は３に記載の引出し。
【請求項５】
前記成形部品（１９）に、前記引出し（２）の摺動方向に延在する少なくとも１つのガイドチャネル（１８）がそれぞれ設けられ、かかるガイドチャネル（１８）において、閉鎖位置にある前記引出しカバー（３）が前記ガイド部（１６ａ）にそれぞれ接続又は成形されたガイドピン（１７）と係合することを特徴とする請求項４記載の引出し。
【請求項６】
ロック（１３）がそれぞれ前記家具骨組み（１）に固定可能な保持本体（１０）であって、ガイド部（１６ａ）に接続又は形成されたロッキングピン（１１）を収容するレシービングチャネル（１２）とロッキングレバー（１３）とを備えた保持本体（１０）からなり、前記引出し（２）挿入時に前記各ロッキングレバー（１３）が接合成形部品（１９）上に形成されたコントロールノーズ（１６）によって解放位置に保持され、前記引出し（２）開放時に前記各ロッキングレバー（１３）が前記ロッキングピン（１１）のノッチ（１４）に係止することを特徴とする請求項１〜５のいずれか１項に記載の引出し。
【請求項７】
前記ロッキングレバー（１３）が２アームレバーとして構成されて支点（１５）を中心として前記保持本体（１０）に枢動可能に保持され、前記ロッキングレバー（１３）が重力とばねの両方、又はそのどちらかによる負荷によって係止方向に継続的に付勢されることを特徴とする請求項１〜６のいずれか１項に記載の引出し。
【請求項８】
前記引出しカバー（３）が閉鎖位置にあるときには前記爪状成形部品（５）がばね「Ｆ」によって家具骨組み（１）の互いに反対側に位置する内側に押され、前記引出しカバー（３）の開放時には前記爪状成形部品（５）が結合位置において外側に移動することを特徴とする請求項１〜８のいずれか１項に記載の引出し。
【請求項９】
キャッチが前記引出しカバー（３）上に枢動可能に保持されたキャッチレバー（２０）と、前記引出し（２）に固定されたキャッチノーズ（２１）とからなり、前記引出しカバー（３）が閉鎖位置にあるとき前記キャッチレバー（２０）が前記キャッチノーズ（２１）の領域外に位置することを特徴とする請求項１記載の引出し。
【請求項１０】
ロックがそれぞれ前記家具骨組み（１）に枢動可能に接続可能なロッキングレバー（２４）と、前記ロッキングレバー（２４）と協働する前記引出しカバー（３）上のロッキングエレメント（２５）とからなり、前記引出し（２）の挿入時には前記ロッキングレバー（２４）が前記引出し（２）上に配置されたコントロールカム（２７）を介して解放位置に保持され、前記引出し（２）開放時には前記ロッキングレバー（２４）が前記引出しカバー（３）の前記ロッキングエレメント（２５）と協働する位置に移動しロック位置に留まることを特徴とする請求項１又は９に記載の引出し。
【請求項１１】
前記ロッキングレバーがシングルアームレバーとして構成され、重力及び／又はばねによる負荷によって前記ロッキングエレメント（２５）と係合する方向に継続的に付勢されることを特徴とする請求項１０記載の引出し。
【請求項１２】
ロッキングレバー（２０ａ）の動作が、前記家具骨組み（１）に固定されたコントロールカム（２２）によって制御されることを特徴とする請求項９〜１１のいずれか１項に記載の引出し。
【請求項１３】
前記コントロールカム（２２）が前記家具骨組み（１）に固定可能なベースプレート（２３）に形成又は接続されることを特徴とする請求項１２記載の引出し。
【請求項１４】
前記引出しカバー（３）がキャリアレール（２８）に接続し、前記キャリアレール（２８）に保持されることを特徴とする請求項９〜１３のいずれか１項に記載の引出し。
【請求項１５】
クランプ（２９）が前記引出しカバー（３）に接続され、前記引出しカバー（３）が閉鎖位置にあるとき前記クランプが家具骨組み１上に固定されたピン（３０）を締め付けるようにして収容することを特徴とする請求項９〜１４のいずれか１項に記載の引出し。
【請求項１６】
前記ロック及び前記キャッチの前記すべての構成部品がプラスチックで構成されることを特徴とする請求項１〜１５のいずれか１項に記載の引出し。
【発明の詳細な説明】
【技術分野】
【０００１】
本発明は家具の引出しに関し、家具の前面の方向と背面の方向との両方に引き出すことが可能な引出しであって、引出しと家具骨組みとに交互状態で結合可能な引出しカバーをその前面と背面とに備えた引出しに関する。
【背景技術】
【０００２】
この種の家具の引出しは周知である。
【０００３】
引出しが家具骨組みから両側に引き出すことができる構成は、事務用家具、パーティション、病院用家具、テーブルなどに有用である。
【０００４】
これに関しては、両側の引出しカバーの一方は家具骨組みに結合され、もう一方は引出しに結合されて、当該引出しが引き出される家具の側にて引出しに引出しカバーが結合され、一方反対側の引出しカバーが専ら家具骨組みと結合され引出しから分離されるようにできることが必要である。
【０００５】
これらの要件を満たすために、複雑な伝動機構が使用されてきた。これらの伝動機構においては、引出しカバーを引出しに結合させるために、取っ手の作動の実際の方向に対して横方向に偏倚される取っ手が必要とされる。
【０００６】
より改良した手段も提案されている。かかる手段においては、各引出しカバーの取っ手を引き手方向に動かして、引出しカバーを引出しに結合させればよい（ＤＥ−ＧＭ（独国実用新案）第２０３  １２  ３２５号）。
【発明の開示】
【０００７】
本発明は、引出しカバーと引出しとの結合を特に簡単に行うことを特徴とする、上記種類の引出しを提供することを目的とする。
【０００８】
本目的は、引出しカバーの一方を引出しに結合し、もう一方を家具骨組みに結合するために、引出しカバーと引出しとの引出し動作又は挿入動作によって専ら制御されるキャッチ又はロックを設けるようにした本発明により達成される。
【０００９】
本発明による上記構成の利点は、必要な結合過程又は分離過程は、引出しカバー及び引出しの両方の、又はそのどちらかの移動によって専ら行われるので、取っ手に依存する他の伝動手段やその作動を省略することができる点である。
【００１０】
したがって、家具製造業者は、本発明による引出しの引出しカバーに取っ手を取り付けるかどうか、並びにかかる取っ手の種類について自由に決定することができる。
【００１１】
本発明の一実施形態において、キャッチは、引出しカバーに移動可能に接続された爪状成形部品であって、引出しカバーが開放方向に引き出されたとき引出し側の対応部の背後を保持するキャッチフックがそれぞれに設けられた爪状成形部品からなり、引出しカバーが閉鎖位置にあるときにはキャッチフックが各対応部との係合領域外に位置する。
【００１２】
引出しが挿入されたときであって、引出しカバーが閉鎖位置にあり家具骨組み方向に移動するとき、キャッチフックを有するすべての爪状成形部品は、引出しの対応部との作動領域外すなわち係合領域外に位置する。
【００１３】
引出しが家具骨組みから引き出される間に、引出しカバーの一方が引出しから引き出されると、各引出しカバー上に設けられた爪状成形部品は引出しの接合対応部と係合するので、さらに各引出しカバーを引き出すと引出しは家具骨組みから引き出される。
【００１４】
続いて引出しをその閉鎖位置まで押し戻すと、引出しと引出しカバーとが分離する。
【００１５】
結果として、すべての引出しカバーは、閉鎖位置では引出しと分離する。したがって、引出しは家具骨組みの両方向に簡単に引き出すことができる。引き出す側の反対側にある引出しカバーは、家具骨組みに結合する。
【００１６】
本発明の他の実施形態において、キャッチは、引出しカバー上に枢動可能に保持されたキャッチレバーと、引出しに固定されたキャッチノーズとからなり、引出しカバーが閉鎖位置にあるときキャッチレバーがキャッチノーズの領域外に位置する。
【００１７】
この場合においても、引出しは、基本位置から家具骨組みの両方向に引き出すことができる。これは、引出しカバーを引き出すと、引出しカバーと引出し自体とが直ちに結合するためである。
【００１８】
反対側の引出しカバーは、家具骨組みに結合する。
【００１９】
本発明のこの他の特徴は、他の従属項の主題である。
【００２０】
本発明の実施形態は添付の図面に示されている。以下、本発明の実施形態について図面を参照して詳細に説明を行う。
【発明を実施するための最良の形態】
【００２１】
本発明の第１実施形態について、図１〜図１２を参照して説明する。
【００２２】
これらの図１〜図１２において、符号１は、詳細には図示されていない家具の家具骨組みを示す。この家具には、全般に符号２で示す引出しであって、家具の前面と背面との両方に引き出すことができる引出しが設けられている。
【００２３】
引出し２の両側には、引出しカバー３が設けられている。これらの引出しカバー３は、引出し２と家具骨組み１とに交互状態で結合可能である。
【００２４】
引出しカバー３を引出し２に結合させるために、キャッチ４が設けられている。このキャッチ４は、引出しカバー３に移動可能に接続された爪状成形部品５であって、図４〜図６に特に詳細に示したように引出しカバーが開放方向に部分的に引き出される際に対応部７の背後で引出し側を保持するキャッチフック６を備えた爪状成形部品５からなる。
【００２５】
上記のキャッチ４はそれぞれ、引出し２の隅領域において引出しカバー３に接続し、引出しカバー３と平行に移動可能である。キャッチ４はそれぞれ、家具骨組み１の外側方向にばね「Ｆ」から負荷を受ける。ここでこのばねについては概略的に示すにとどめる。
【００２６】
図２において、引出し２は閉鎖位置にある。引出しカバー３も同様に閉鎖位置にある。図２から明らかなとおり、この閉鎖状態において、爪状成形部品５は、ばね「Ｆ」の作用に逆らって家具骨組み１の内側方向に移動し、その位置にて家具骨組み１上に保持される。この位置において、キャッチフック６は各対応部７との係合領域外に位置している。引出しカバー３が図２の位置から若干引き出されると（図４を参照）、爪状成形部品５は、ばね「Ｆ」の作用によって家具骨組み１の外側方向に傾斜面８を介して移動することができる。したがって、キャッチフック６は引出し２の対応部７との係合領域に到達する。
【００２７】
一方、引出し２又は引出しカバー３が再び図４の位置から図２の閉鎖方向に移動する場合、各爪状成形部品５は傾斜面８を介して家具骨組み１の内側領域に戻ることができ、ばね「Ｆ」は伸張状態になることができる。
【００２８】
上記のとおり、引出しカバー３と引出し２との結合又は分離は、専ら引出しカバー３が引出し２に対して相対移動することによって行われる。かかる引出しカバー３の相対移動は通常、引出し２の移動方向すなわち前進方向に行われる。
【００２９】
引出しカバー３と引出し２との結合は、引出し２が家具骨組み１から引き出される際に引出しカバー３が移動する間に行われる。これとは逆に、引出しカバー３と引出し２との分離は、引出し２が閉鎖位置に押し戻され、引出しカバー３が家具骨組み１に押し戻される際に行われる。
【００３０】
これらの結合過程又は分離過程で必要なことは、引出しカバー３が引出しの移動方向に移動することだけである。このためには、引出し上又は引出しカバー３上の取っ手が基本的に必要である。取扱いを簡単にするには、各引出しカバー３上に任意に設計された取っ手又は握り手を設けることができることは理解されよう。
【００３１】
図６に詳細に示したとおり、いったん引出しカバー３が引出し２に上記のように結合されると、引出し２は、更に引出し方向に引くことによって、引出しカバー３及びキャッチ４を介して移動方向すなわち引出し方向に随伴される。
【００３２】
図７は、図１〜図６の反対側にある引出し２の側を示している。すなわち、引出し２が図６に対応する移動位置にある場合を示している。
【００３３】
この図７は、引出し２が部分的に又は全面的に開放されたとき、第２の引出しカバー３が家具骨組み１に結合されることを示している。このために、全般に符号９で示したロックが設けられている。
【００３４】
このロック９は、家具骨組みに固定可能な保持本体１０と、引出しカバー３に接続されて保持本体１０のレシービングチャネル１２に突出するロッキングピン１１と、保持本体１０に枢動可能に接続されてロッキングピン１１のノッチ１４内におけるロック位置で係止するロッキングレバー１３とからなる。図７に明示したこのロック位置にあるとき、引出しカバー３を家具骨組み１の外側に引き出すことはできない。
【００３５】
各ロック９のロッキングレバー１３は、支点１５を中心として保持本体１０に枢動可能に結合され、アームレバーとして構成されている。ロッキングレバー１３の重量分布は、レバーが重力を受けるとロック方向に継続的に付勢されるように選定される。
【００３６】
ロッキングレバー１３のこのようなプレテンショニングは、この代わりにばねによっても行うことができる。
【００３７】
引出し２が図７に示した位置から再び左側に移動する場合、コントロールノーズ１６ａは、引出し２が最終閉鎖位置に到達する直前に、ロッキングレバー１３の領域に到達し、ロッキングピン１１のノッチ１４におけるロッキングレバー１３の係止を解除するようにロッキングレバー１３を枢動させる。これは、図１〜図３に示したかかるロッキングレバーの位置に対応している。
【００３８】
これは、引出し２が完全に挿入されかつ引出しカバー３が閉鎖位置にある場合には、引出しカバー３と家具骨組み１とは結合しないことを意味する。したがって、各引出しカバー３はその閉鎖位置から外側に引くことができる。その結果、（上記のとおり）引出しカバー３は引出し２と結合し、反対側に位置する引出しカバー３は必然的に家具骨組み１に結合する。
【００３９】
図８〜図１０の斜視図に明示されているとおり、キャッチ４は引出しカバー３に固定されたガイド部１６ａに移動可能にそれぞれ保持されている。各ガイド部１６ａは、ロッキングピン１１も支持している。ロッキングピン１１は、ガイド部１６ａと一体的に構成されることが好ましい。更に、各ガイド部１６ａには、２つのガイドピン１７が設けられている。これら２つのガイドピン１７は、引出し２が閉鎖される際に成形部品１９のガイドチャネル１８に係合し、成形部品は引出し２の隅領域において引出し２に固定される。またかかる成形部品１９は、対応部７を形成する。引出し方向に向かう際にキャッチ４の各キャッチフック６は対応部７に係合する。
【００４０】
ロッキングレバー１３を作動させるコントロールノーズ１６は、成形部品１９上に形成されているか、又はかかる成形部品１９に固定されている。これは図７及び図８に明示されている。
【００４１】
図１２の（ａ）及び（ｂ）は、爪状成形部品５として構成されたキャッチ４を異なる角度から見た斜視図である。これらの図１２の（ａ）及び（ｂ）に明示されているとおり、爪状成形部品５の背面領域には受け溝２０が設けられている。この受け溝２０内にばね「Ｆ」を挿入して、かかる爪状成形部品５に負荷をかけることができる。ばね「Ｆ」の全般的な機能については上記のとおりである。
【００４２】
以下に、図１〜図１２に示した構成の機能を概略的に説明する。
【００４３】
引出し２が挿入位置にあり引出しカバー３が閉鎖位置にある場合、引出しカバー３は家具骨組みと引出し２とのいずれとも結合しない。引出し２が引き出される間に引出しカバー３が家具骨組み１から引き出されると、引き出される引出しカバー３と引出し２との間の領域において強制的に結合がなされる。反対側に位置する引出しカバー３は、家具骨組み１と自動的に結合する。引出し２と上記引き出された引出しカバー３をそれぞれの閉鎖位置に戻す際に、すべての結合は再び解除される。結果として、引出し２はその閉鎖位置から家具骨組み１の両方向に任意に引き出すことができる。
【００４４】
以下に、本発明の他の実施形態について、図１３〜図１９を参照して説明する。
【００４５】
キャッチ４ａは、キャッチレバー２０からなる。これらのキャッチレバー２０は、引出しカバー３上に枢動可能に保持され、引出しカバー３と引出し２とを結合する。キャッチノーズ２１は、かかるキャッチレバー２０と接合する。これらのノーズは引出し２に固定されている。引出しカバー３が閉鎖位置にあるとき、かかるキャッチレバー２０ａはキャッチノーズ２１の領域外に位置する。したがってこの場合、引出しカバー３と引出し２とは結合しない。この位置は図１３に示されている。図１３に示した引出しカバー３が引出し方向に若干移動すると（図１４を参照）、キャッチレバー２０ａはその接合相手であるキャッチノーズ２１の背後の位置にくる。したがって、引出しカバー３を上記の方向に更に引き出すと、開放時に引出し２が随伴される。キャッチレバー２０ａの枢動の制御は、家具骨組み１に固定可能なベースプレート２３上に設けられたコントロールカム２２を介して行われる。
【００４６】
引出しカバー３と家具骨組み１との結合は、家具骨組み１上に枢動可能に配置されたロッキングレバー２４の形態をとるロック、並びに引出しカバー３に固定されたロッキングエレメント２５によって行われる。ロッキングレバー２４には、引出しカバー３に対向する端部にノッチ２６が設けられている。ノッチ２６は、結合状態において、ラッチングエレメント２５の一方を嵌め合わせるようにして収容する。これは、図１６に詳細に示されている。ロッキングレバー２４は、シングルアームレバーとして、ベースプレート２３に枢動可能に接続されている。結果として、いったんかかるロッキングレバー２４が引出し２に固定されたコントロールカム２７から離れると、ロッキングレバー２４は重力によって図１６によるロック位置へ枢動することができる。引出し２が完全に挿入され引出しカバー３がその閉鎖位置に収まると、かかるコントロールカム２７により、ロッキングレバー２４は図１６による結合位置から解放位置へ上方に枢動する。
【００４７】
キャッチレバー２０ａの枢動動作、ロッキングレバー２４の枢動動作のいずれも、ばねによって対応することもできる。このとき分離の際における互いに反対の動作は、専ら外周カム２２又はコントロールカム２７によって行われる。図１３〜図１９による本発明の本実施形態において、２つの引出しカバー３は、引出し２のガイド手段とは無関係なスライドガイド手段２８に接続されており、かかるスライドガイド手段２８によって支持されている。引出しカバー３の位置を閉鎖位置に固定するため、各引出しカバー３にはクランプ２９が設けられている。このクランプ２９は、閉鎖位置にあるとき、家具骨組み１上の拘束カム３０を締め付けるようにして収容する。
【００４８】
図１３〜図１９による本発明の本実施形態においても、引出し２が挿入されていて引出しカバー３が閉鎖位置にある場合、引出しカバー３は引出し２と家具骨組み１とのいずれとも結合しない。引出し２が家具骨組み１から引き出される間に引出しカバー３の一方が家具骨組み１から引き出されるときにのみ、引出し２はかかる引出しカバー３に結合する、すなわち、キャッチレバー２０ａとキャッチノーズ２１を介して結合する。引出し２は反対側の引出しカバー３から離れるので、この反対側の引出しカバー３は、ロッキングレバー２４とロッキングエレメント２５を介して家具骨組み１と自動的に結合する。
【００４９】
引出し方向に位置する引出し２と引出しカバー３は、簡単に開放可能である。一方、反対側に位置する引出しカバー３は家具骨組み１に固定され、家具骨組み１から引き出すことは不可能である。
【００５０】
いったん引出し２がその挿入位置にきちんと戻り、いったん上記引き出された引出しカバー３がその閉鎖位置に戻ると、引出しカバー３のすべての結合が解除される状態が再現される。このとき、再び任意の希望する方向に引出しを引き出すことができる。
【００５１】
すべての実施形態に共通する態様は、以上詳細に説明した構成要素である各ロック及び各キャッチがプラスチックで構成されると有利であることである。
【図面の簡単な説明】
【００５２】
【図１】閉鎖位置にある本発明による引出しの見え掛かりの端領域の垂直断面図を示している。
【図２】図１のII−II線に沿った断面図を示している。
【図３】引出しカバーが部分的に引き出されている引出しの図１による垂直断面図を示している。
【図４】図３のIV−IV線に沿った断面図を示している。
【図５】家具骨組みから部分的に引き出された引出しの図１及び図３による断面図を示している。
【図６】図５のVI−VI線に沿った断面図を示している。
【図７】図５の反対側の引出し端領域の垂直断面図を示している。
【図８】部分的に開放された引出しの斜視部分図を示している
【図９】図８の矢印ＩＸ方向から見た部分図を示している。
【図１０】図９による引出しの一部分の斜視図を示している。
【図１１】図１〜図１０による引出しの関係する個々の部品を斜視図により示している。
【図１２】（ａ）及び（ｂ）はそれぞれ、図１〜図１０による引出しのキャッチを異なる角度から見た斜視図を示している。
【図１３】閉鎖位置にある本発明の他の実施形態による本発明による引出しの端領域の垂直断面図を示している。
【図１４】引出しカバーが部分的に開放された図１３による断面図を示している。
【図１５】引出しが部分的に開放された図１２及び図１３に対応する断面図を示している。
【図１６】図１５の反対側の引出しの端領域の断面図を示している。
【図１７】図１６の矢印XVIIの方向から見た概略図を示している。
【図１８】図１３〜図１７による部分的に開放された引出しの斜視図を示している。
【図１９】図１３〜図１８による引出しの関係する構成部品を斜視図により示している。
【符号の説明】
【００５３】
１…家具骨組み、２…引出し、３…引出しカバー、４，４ａ…キャッチ、５…爪状成形部品、６…キャッチフック、７…対応部、８…傾斜面、９…ロック、１０…保持本体、１１…ロッキングピン、１２…レシービングチャネル、１３…ロッキングレバー、１４…ノッチ、１５…支点、１６…ガイド部、１６ａ…コントロールノーズ、１７…ガイドピン、１８…ガイドチャネル、１９…成形部品、２０…受け溝、２０ａ…キャッチレバー（ロッキングレバー）、２１…キャッチノーズ、２２…コントロールカム（外周カム）、２３…ベースプレート、２４…ロッキングレバー、２５…ロッキングエレメント、２６…ノッチ、２７…コントロールカム、２８…スライドガイド手段（キャリアレール）、２９…クランプ、３０…拘束カム（ピン）。
【図１】
2005185837.tif 000003
【図２】
2005185837.tif 000004
【図３】
2005185837.tif 000005
【図４】
2005185837.tif 000006
【図５】
2005185837.tif 000007
【図６】
2005185837.tif 000008
【図７】
2005185837.tif 000009
【図８】
2005185837.tif 000010
【図９】
2005185837.tif 000011
【図１０】
2005185837.tif 000012
【図１１】
2005185837.tif 000013
【図１２】
2005185837.tif 000014
【図１３】
2005185837.tif 000015
【図１４】
2005185837.tif 000016
【図１５】
2005185837.tif 000017
【図１６】
2005185837.tif 000018
【図１７】
2005185837.tif 000019
【図１８】
2005185837.tif 000020
【図１９】
2005185837.tif 000021
【外国語明細書】
2005185837000001.pdf